(57)【要約】【課題】  ダブル配筋されたスラブ筋の間隔及びスラブのかぶり厚さを適切に確保することができるとともに、作業員が配筋作業と並行して或いは配筋作業後に水平方向からスライド等させて好適に取り付けることができるタワー型スペーサーを提供する。【解決手段】  タワー型スペーサー１０は、コンクリート打設用型枠面１１上に設置可能であり、ダブル配筋されたスラブ筋を支持する一対のスラブ筋支持部と、それらを連結して固定する連結部とを備える。また、スラブ筋支持部には、底面から設計かぶり厚さ１４ａ分の距離を確保した位置に下端筋１２ａを挟持するための、水平方向に一部開放された係合部１３ａと、それから上端筋１２ｂと下端筋１２ａとの間隔分の距離を確保した位置に上端筋１２ｂを挟持するための、水平方向に一部開放された係合部１３ｂとがそれぞれ形成されている。【選択図】  図１
2005336729.tif 000002
【特許請求の範囲】
【請求項１】
コンクリート打設用型枠面上に設置可能であり、上端筋と下端筋が配筋されたスラブ筋を支持する一対のスラブ筋支持部と、該一対のスラブ筋支持部を連結して固定する連結部とを備えるタワー型スペーサーであって、
前記スラブ筋支持部には、該スラブ筋支持部の底面から設計かぶり厚さ分の距離を確保した位置に前記下端筋を挟持するための、水平方向に一部開放された第１の係合部と、該第１の係合部から前記上端筋と前記下端筋との間隔分の距離を確保した位置に上端筋を挟持するための、水平方向に一部開放された第２の係合部とがそれぞれ形成されていることを特徴とするタワー型スペーサー。
【請求項２】
前記スラブ筋支持部は、前記第２の係合部と該スラブ筋支持部の上端との間隔がスラブの最小かぶり厚さ以上に形成されていることを特徴とする請求項１に記載のタワー型スペーサー。
【請求項３】
前記スラブ筋支持部には、前記上端筋を挟持するための、水平方向に一部開放された係合部が複数形成されていることを特徴とする請求項１又は２に記載のタワー型スペーサー。
【発明の詳細な説明】
【技術分野】
【０００１】
本発明は、スラブ製作時に使用され、ダブル配筋されたスラブ筋を固定するタワー型のスペーサーに関する。
【背景技術】
【０００２】
従来から、床、壁、天井、屋根等の部材として用いられる板状のプレキャストコンクリート（ＰＣａ）部材の製造や、建築現場において水平に打設される床等の板状の鉄筋コンクリート部材といったスラブを作成する際には、スラブ筋として配筋される鉄筋のコンクリートかぶり厚さを確保するために様々な構造のスペーサーが用いられている。
【０００３】
例えば、ドーナツ形状のスペーサーは鉄筋を挟み込んで固定するため、鉄筋のズレが少ないという利点を有する。また、サイコロ形状のスペーサーは型枠底面と鉄筋の間隔（かぶり厚さ）を確保することができる。
【０００４】
尚、近年は、スラブ筋をシングルで配筋するのではなくダブル配筋にすることによって、引張強度を高めて部材全体の強度を高くすることが行われている。そこで、型枠底面と下端鉄筋との間隔を確保することできるタワー形状のスペーサーが用いられている。またその他にも、下端鉄筋と上端鉄筋とを一体化して鉄筋の間隔を確保することができるコンクリート補強用溶接金網のスペーサーが提案されている（例えば、特許文献１参照。）。さらに、下端筋を支持する受け溝部と上端筋を支持する受け溝部と鉄筋浮き上がり防止用の止め部材とを具備したスラブ鉄筋配筋用スペーサーも提案されている（例えば、特許文献２参照。）。
【特許文献１】実開平７−１６８２６号公報
【特許文献２】特開平９−２２１８７８号公報
【発明の開示】
【発明が解決しようとする課題】
【０００５】
しかしながら、上述したような従来のスペーサーを用いた鉄筋の配筋においては様々な問題が発生していた。例えば、上記ドーナツ形状のスペーサーは、一般に強度が劣るため、型枠底面には使用することが難しい。また、上記サイコロ形状のスペーサーや上記タワー形状のスペーサーは、鉄筋を上に乗せて使用するために、ズレや浮きが発生することが多い。さらに、特許文献１に記載のスペーサーは、型枠底面と下端鉄筋の間隔を確保するために別のスペーサーが必要とされる。さらにまた、特許文献２に記載のスペーサーは、取り付けを配筋作業と並行して行う必要があるため配筋作業後にまとめて取り付けることができないため効率的でない。
【０００６】
本発明は、このような事情を考慮してなされたものであり、ダブル配筋されたスラブ筋の間隔及びスラブのかぶり厚さを適切に確保することができるとともに、作業員が配筋作業と並行して或いは配筋作業後に水平方向からスライド等させて好適に取り付けることができるタワー型スペーサーを提供することを目的とする。
【課題を解決するための手段】
【０００７】
上記課題を解決するために、本発明は、コンクリート打設用型枠面上に設置可能であり、上端筋と下端筋が配筋されたスラブ筋を支持する一対のスラブ筋支持部と、該一対のスラブ筋支持部を連結して固定する連結部とを備えるタワー型スペーサーであって、
前記スラブ筋支持部には、該スラブ筋支持部の底面から設計かぶり厚さ分の距離を確保した位置に前記下端筋を挟持するための、水平方向に一部開放された第１の係合部と、該第１の係合部から前記上端筋と前記下端筋との間隔分の距離を確保した位置に上端筋を挟持するための、水平方向に一部開放された第２の係合部とがそれぞれ形成されていることを特徴とする。
【０００８】
また、上記タワー型スペーサーにおいて、前記スラブ筋支持部は、前記第２の係合部と該スラブ筋支持部の上端との間隔がスラブの最小かぶり厚さ以上に形成されていることを特徴とする。
【０００９】
さらに、上記タワー型スペーサーにおいて、前記スラブ筋支持部には、前記上端筋を挟持するための、水平方向に一部開放された係合部が複数形成されていることを特徴とする。
【発明の効果】
【００１０】
本発明によれば、ダブル配筋されたスラブ筋の間隔及びスラブのかぶり厚さを適切に確保することができるとともに、作業員が配筋作業と並行して或いは配筋作業後に水平方向からスライド等させて好適に取り付けることができる。
【発明を実施するための最良の形態】
【００１１】
以下、図面を参照して、本発明の一実施形態に係るタワー型スペーサーの構造及びそれを用いたスラブの製作方法について詳細に説明する。
【００１２】
図１は、本発明の一実施形態に係るタワー型スペーサーの構造を示す側面図である。図１において、１０は本実施形態に係るタワー型スペーサー、１１はタワー型スペーサー１０が設置されるコンクリート打設用型枠面を示している。また、１２ａ及び１２ｂはそれぞれダブル配筋されたスラブ筋（下端筋及び上端筋）である。さらに、１３ａ及び１３ｂは、それぞれ下端筋１２ａ及び上端筋１２ｂを挟み込んで係合することのできる係合部である。さらにまた、１４ａ及び１４ｂはそれぞれスラブ筋１２ａ、１２ｂの設計かぶり厚さを示す。さらにまた、１５はコンクリート打設面を示す。
【００１３】
ここで、「設計かぶり厚さ」とは、鉄筋の配筋・型枠組立ての際に施工誤差等が生じたような場合であっても、最小かぶり厚さを確保するために定められるものであり、図１ではコンクリート打設用型枠面１１と下端筋１２ａとの間隔、及びコンクリート打設面１５と上端筋１２ｂとの間隔に相当するものである。また、「最小かぶり厚さ」とは、構造体において確保されていなければならない最小のかぶり厚さを意味する。尚、「かぶり厚さ」とは、鉄筋コンクリート造等の所要の耐火性、耐久性等が得られるように、コンクリートの品質・種類・施工方法等を考慮して定められるものである。
【００１４】
図２は、図１に示すタワー型スペーサーの細部構成を説明するための図である。図２では、上面図２Ａ、正面図２Ｂ、底面図２Ｃ及び側面図２Ｄを用いて本実施形態に係るタワー型スペーサーを説明している。図１及び図２に示す本実施形態に係るタワー型スペーサーを用いることによって、ＰＣａ部材の製造や、建築現場において水平に打設される床等の板状の鉄筋コンクリート部材といった鉄筋コンクリート躯体を作成時に、スラブ筋としてダブル配筋された鉄筋の間隔やかぶり厚さを好適に確保することができる。
【００１５】
このため、図２に示すように、本実施形態に係るタワー型スペーサー１０は、ダブル配筋された下端筋１２ａ及び上端筋１２ｂを一体化して支持する一対のスラブ筋支持部１０ａ、１０ｂと、当該一対のスラブ筋支持部１０ａ、１０ｂを連結して固定するための連結部１０ｃとを備える。また、スラブ筋支持部１０ａ、１０ｂには、ダブル配筋された下端筋１２ａ及び上端筋１２ｂを挟持して係合するために一部が開放された係合部１３ａ、１３ｂが両支持部とも同一の高さで上下２か所に設けられている。尚、上記係合部１３ａ、１３ｂは、スラブ筋が配筋された後でもスラブ筋を固定することができるように、コンクリート打設用型枠面上を水平にスライドさせてスラブ筋を挟持させて係合することができるように、例えばくさび型形状で水平方向に一部開放されている。そして、図２の２Ｄに示すように、それぞれの係合部１３ａ、１３ｂに下端筋１２ａ及び上端筋１２ｂを通して係合し、コンクリート打設用型枠面１１とスラブ筋とを一体化するとともにそれぞれの間隔を一定に支持している。
【００１６】
前述したように、従来のスペーサーの多くがスラブ筋の配筋と並行して設置する必要があったが、本実施形態に係るタワー型スペーサーでは、図１及び図２に示すような形状をしているため、ダブル配筋されるスラブ筋の配筋時だけでなく、配筋後であっても横方向から滑らせるようにスライドさせてスラブ筋に近づけ、下端筋１２ａ及び上端筋１２ｂをそれぞれ係合部１３ａ、１３ｂに通して挟持させて係合することにより、一体化して固定することができる。すなわち、従来のはめ付け型のスペーサーのように取り付け作業を必ずしも配筋作業と並行して行う必要がなく、スペーサーの設置作業を配筋後にまとめて行うことで効率のよいスラブの製作を行うことができる。
【００１７】
また、下端筋１２ａとコンクリート打設用型枠面１１との間隔がタワー型スペーサー１０の底面と下端筋１２ａが係合される係合部１３ａとの間隔によって確実に確保することができ、当該間隔が当初から設計かぶり厚さとして設定しているため、スラブ製作後も確実にかぶり厚さが保証される。
【００１８】
通常、スペーサーは、下端筋に対しては１平方メートルに対して２個程度、上端筋に対しては１平方メートルに対して１個程度必要とされ、１平方メートルごとに少なくとも合計３個のスペーサーが必要とされていた。しかし、本実施形態に係るタワー型スペーサーを用いることで、上端筋及び下端筋を同時に固定することができるので、１平方メートルに対して２個設置すればよく、使用するスペーサーの個数を従来の場合と比較して減少することができる。また、ダブルで配筋されたスラブ筋を一体化して固定するとともに、適切に建築基準法施行令で定められているかぶり厚さを確保することができるので、施工精度をより向上させることができる。
【００１９】
尚、本実施形態に係るタワー型スペーサーを構成する材料としては従来から存在するスペーサーと同様であるが、加工性・運搬性・廉価性等の観点から見て塩化ビニール製やプラスチック樹脂等のプラスチック系のものがよいと考えられる。その他には、ステンレス製や鋼製であってもよいが、金属製の場合は錆が発生する可能性があるため防錆等の処置が必要である。
【００２０】
ここで、上述したタワー型スペーサーを用いてＰＣａ工場や建築現場等において壁材や床材等のスラブ（ＰＣａ部材）の製作手順について説明する。図３は、ＰＣａ工場等で製作されるＰＣａ部材の概要を説明するための図である。すなわち、図３（ａ）に示すように、コンクリート打設用型枠面１１上にダブル配筋されたスラブ筋１２ａ、１２ｂに対して本実施形態に係るタワー型スペーサー１０を１平方メートルに約２個設置して、その後コンクリートが流し込まれて板状のＰＣａ部材（スラブ）が製作される。
【００２１】
上述したようにして製作されたＰＣａ部材を壁材として用いる場合には、図３（ｂ）に示すように建て起こされて設置される。このとき、当該タワー型スペーサーがコンクリート打設用型枠面と当接していた底面についてはセメントペーストが流れ込まないので、スラブ表面にスペーサーの底面３１が隠れないで露出した状態の部分が生じる。例えば、スラブを打ちっぱなしで（露出させて）使用するような場合にはこれらのスペーサーの底面３１の部分が模様のように跡となって残ってしまう。そこで、本実施形態ではタワー型スペーサーをコンクリート色の塩化ビニール等で製作しておき、目立たなくするようにしてもよい。また、打ちっぱなしの天井として用いられる場合でも同様である。
【００２２】
また、図４は、本発明の別の実施形態に係るタワー型スペーサーの構造を示す側面図である。図４に示すタワー型スペーサー４０は、図１に示すタワー型スペーサー１０の鉄筋支持部１０ａ、１０ｂの下部が、符号４１ａ、４１ｂで示すようにカットされていることを特徴とする。これにより、図３（ｄ）に示すように、図３（ｃ）のスペーサーの場合と比較して、底面の露出部分を減らすことができる。尚、それ以外の部分については図１及び図２に示すタワー型スペーサー１０と同様である。
【００２３】
図５は、本発明の他の実施形態に係るタワー型スペーサーの構造を示す側面図である。図５において、タワー型スペーサー５１は、図１に示すタワー型スペーサー１０と比較して鉄筋支持部の上部５１ｂを、下部５１ａと同様に上端筋１２ｂを挟持する係合部１３ｂとスラブ筋支持部の上端との間隔５１ｃをコンクリートの最小かぶり厚さ以上に設定する。これにより、タワー型スペーサー５１をコンクリート打設用型枠面１１上に設置した後、コンクリートをスペーサー５１の上面が隠れるまで流し込むことによって、自動的に最小かぶり厚さ分も確保することができる。すなわち、本実施形態に係るタワー型スペーサー５１によれば、ダブル配筋されたスラブのかぶり厚さを、下部だけでなく上部についても確実に確保することができる。
【００２４】
また、図５において、タワー型スペーサー５２、５３は、タワー型スペーサー５１と比較してスラブ筋支持部の上部５２ｂ、５３ｂに上端筋を挟持する一部開放された係合部を複数設けていることを特徴とする。このような構造のスペーサーを用いることによって、例えば、屋根等の勾配を有するＰＣａ部材を製作するような場合、勾配にあわせて上端筋の高さが異なるように支持することができ、勾配を有する部材におけるかぶり厚さを適切に調節することができる。
【００２５】
尚、胴体部分の高さを勾配を有する部材用の高さを調節するために、高くしたり低くしたりするような伸縮可能な構造にしてもよい。この場合、一部開放された係合部を複数形成する必要は必ずしもなく、また複数形成されている場合であっても、より正確に鉄筋を挟持させて係合することが可能となる。
【００２６】
このように、本実施形態では、上述した各種構造のタワー型スペーサーを用いて、コンクリート打設用の型枠面上に上下にダブル配筋された鉄筋をそれぞれ当該タワー型スペーサーの２つの一部開放された係合部で挟持して係合し、コンクリート打設用型枠面と下端筋との間隔、及びコンクリート打設面と上端筋との間隔を確実に保つようにして最小かぶり厚さを調整することが可能となる。
【図面の簡単な説明】
【００２７】
【図１】本発明の一実施形態に係るタワー型スペーサーの構造を示す側面図である。
【図２】図１に示すタワー型スペーサーの細部構成を説明するための図である。
【図３】ＰＣａ工場等で製作されるＰＣａ部材の概要を説明するための図である。
【図４】本発明の別の実施形態に係るタワー型スペーサーの構造を示す側面図である。
【図５】本発明の他の実施形態に係るタワー型スペーサーの構造を示す側面図である。
【符号の説明】
【００２８】
１０、４０、５１、５２、５３  タワー型スペーサー
１１  コンクリート打設用型枠面
１２ａ  下端筋
１２ｂ  上端筋
１３ａ、１３ｂ  係合部
１４ａ、１４ｂ  設計かぶり厚さ
１５  コンクリート打設面
【図１】
2005336729.tif 000003
【図２】
2005336729.tif 000004
【図３】
2005336729.tif 000005
【図４】
2005336729.tif 000006
【図５】
2005336729.tif 000007